(57)【要約】【課題】大型の表示画面を有する可変表示装置の周囲に回転可能に配置した回転板を、時計方向又は反時計方向位置から初期位置に復帰させるに際し、回転方向を簡便な手段で判定することができる可動役物装置を提供する。【解決手段】駆動モータ２９を駆動源として回転板２３を正逆両方向へ回転可能となし、該回転板の外周縁に設けられた円周方向に短尺な第１の遮光壁３７ａと円周方向に長尺な第２の遮光壁３７ｂとを、該第１の遮光壁を検知する第１のフォトセンサ２５と該第２の遮光壁を検知する第２のフォトセンサ２６とにより検知するように、該第１のフォトセンサと第２のフォトセンサが互いに干渉しないように回転板の直径及び円周方向に隔離配置し、該第１及び第２のフォトセンサからの信号により回転板の回転方向位置を判別する。【選択図】図４
2011067403.tif 000002
【特許請求の範囲】
【請求項１】
遊技盤の遊技領域に設けられた可変表示装置の前方に配置され、電子抽選の結果を可動態様によって遊技者に示唆する可動役物装置において、
前記可変表示装置の表示画面を目視可能な矩形状の開口が設けられた回転板と、この回転板を前記遊技盤の盤面と略平行な面内で正逆両方向へ回転させる回転駆動機構と、前記前記回転板の外周縁に設けられた遮光壁と、前記遮光壁を検知するフォトセンサと、前記フォトセンサからの信号により前記回転板の回転位置を判断する制御部とを有し、
前記遮光壁は、円周方向に短尺な第１の遮光壁と、円周方向に長尺な第２の遮光壁からなり、前記第１の遮光壁と前記第２の遮光壁は、互いが干渉しないように前記回転板の直径方向及び円周方向に隔離して配置されており、
前記フォトセンサは、前記第１の遮光壁を検知する第１のフォトセンサと、前記第２の遮光壁を検知する第２のフォトセンサからなり、前記第１のフォトセンサと前記第２のフォトセンサは、互いが干渉しないように前記回転板の直径方向及び円周方向に隔離して配置されていることを特徴とする可動役物装置。  
【請求項２】
請求項１の記載において、前記第１のフォトセンサ及び前記第２のフォトセンサは、それぞれフォトインタラプタから成り、一方のフォトインタラプタの発光素子を収納する第１の凸部あるいは受光素子を収納する第２の凸部と、他方のフォトインタラプタの受光素子を収納する第２の凸部あるいは発光素子を収納する第１の凸部とが、前記回転板の直径方向において互いにオーバーラップするように配置されていることを特徴とするとする可動役物装置。
【発明の詳細な説明】
【技術分野】
【０００１】
本発明は、パチンコ遊技機等の弾球遊技機に関し、特に、遊技盤略中央に配置される大型の回転役物装置に関するものである。
【背景技術】
【０００２】
パチンコ機に代表される弾球遊技機の中には、遊技盤の遊技領域に可変表示装置や始動入賞口を配設し、遊技領域に向けて発射された遊技球が始動入賞口に入球することを契機に電子抽選を行い、その抽選結果に基づいて可変表示装置が図柄の変動表示および停止表示を行うようにした機種が存在する。電子抽選の抽選結果には当たり（当選）とハズレ（非当選）があり、抽選結果が当たりの場合には、可変表示装置の表示画面に所定の特別図柄の組み合わせが表示され、通常モードから特別遊技モードへと移行する。この特別遊技モードでは、例えばアタッカーを開放動作して露呈される大入賞口に遊技球が入るので、遊技者は多くの賞球を獲得できるようになっている。
【０００３】
近年、このような弾球遊技機では、遊技者の興趣を盛り上げるため可変表示装置の表示画面が大型化する傾向にあり、合わせて、該可変表示装置を用いた演出も多彩に行われるようになっている。
また、可動態様を変化させることができる可動体を遊技領域の適宜位置、例えば可変表示装置の周囲に配置し、遊技の進行状態を該可動体の可動態様によって示唆するようにした可動役物装置も知られている（例えば、特許文献１参照）。
【０００４】
特許文献１に開示された可動役物装置では、遊技盤中央部に設けられた図柄表示装置の表示画面を囲むように可動枠体が設けられ、該可動枠体の開口部を介して可変表示装置の表示画面を視認することができるように構成されており、該可動枠体が遊技の進行に合わせて時計方向、あるいは反時計方向に回転することで、種々の演出を行うように構成されている。
【先行技術文献】
【特許文献】
【０００５】
【特許文献１】特開２００５−３２３９９５号公報
【発明の概要】
【発明が解決しようとする課題】
【０００６】
特許文献１に開示された可動役物装置における可動枠体においては、その回転制御に際し、枠体駆動モータとしてステッピングモータが用いられ、該ステッピングモータの駆動量を制御することで可動枠体を初期位置（基準位置）から所望の角度だけ回転させている。あるいは、サーボモータを用いて可動枠体の初期位置からの回転角度を検出して、該サーボモータをサーボ制御している。
しかしながら、いずれにしてもこのような従来例では、回転した位置で停止している可動枠体を初期位置に復帰させるには、その現在位置が右回転している位置か左回転している位置かを判断して駆動モータの回転制御をしなければならないため、現在位置を記憶しておく必要があり、そのための記憶装置が必要となる。
【０００７】
本発明は、このような従来技術の実情に鑑みてなされたもので、その目的は、可動役物装置の回転制御に際し、回転位置の履歴をとる必要のない、安価で、かつ信頼性の高い回転方向検出機構を有する可動役物装置を提供することにある。
【課題を解決するための手段】
【０００８】
上記の目的を達成するために、本発明は、遊技盤の遊技領域に設けられた可変表示装置の前方に配置され、電子抽選の結果を可動態様によって遊技者に示唆する可動役物装置において、前記可変表示装置の表示画面を目視可能な矩形状の開口が設けられた回転板と、この回転板を前記遊技盤の盤面と略平行な面内で正逆両方向へ回転させる回転駆動機構と、前記前記回転板の外周縁に設けられた遮光壁と、前記遮光壁を検知するフォトセンサと、前記フォトセンサからの信号により前記回転板の回転位置を判断する制御部とを有し、
前記遮光壁は、円周方向に短尺な第１の遮光壁と、円周方向に長尺な第２の遮光壁からなり、前記第１の遮光壁と前記第２の遮光壁は、互いが干渉しないように前記回転板の直径方向及び円周方向に隔離して配置されており、前記フォトセンサは、前記第１の遮光壁を検知する第１のフォトセンサと、前記第２の遮光壁を検知する第２のフォトセンサからなり、前記第１のフォトセンサと前記第２のフォトセンサは、互いが干渉しないように前記回転板の直径方向及び円周方向に隔離して配置されていることを特徴とする構成とした。
【０００９】
このように構成された可動役物装置では、前記第１のフォトセンサ及び前記第２のフォトセンサからの出力を検知することにより極めて簡単な演算により回転板の回転方向を検知することができるので、回転板を初期位置に復帰させるために回転方向をいちいち記憶しておく必要がなく、安価で、かつ信頼性の高い回転方向検出機構を有する可動役物装置を提供することができる。
【００１０】
また、前記第１のフォトセンサ及び前記第２のフォトセンサは、それぞれフォトインタラプタから成り、一方のフォトインタラプタの発光素子を収納する第１の凸部あるいは受光素子を収納する第２の凸部と、他方のフォトインタラプタの受光素子を収納する第２の凸部あるいは発光素子を収納する第１の凸部とが、前記回転板の直径方向において互いにオーバーラップするように配置されていることを特徴とする構成とした。
このように構成された可動役物装置では、回転板の直径方向に対し２個のフォトインタラプタを近接して配置することができるので、遊技盤の支持ベース上に、フォトセンサをコンパクトに配置することができる。
【発明の効果】
【００１１】
本発明の可動役物装置は、可動役物の回転板を正逆回転制御する際に、極めて簡便な手段により回転方向を検知することができるので、回転方向をいちいち記憶しておく必要がなく、安価でかつ信頼性が高く、空間を有効に活用した可動役物装置を提供することができる。
また、狭隘な支持ベース上の空間を有効に利用することができるので、大型化する画面表示装置に見合った可動役物装置を提供することができる。  
【図面の簡単な説明】
【００１２】
【図１】パチンコ機の外観を示す斜視図である。
【図２】図１のパチンコ機に備えられる遊技盤の正面図である。
【図３】本発明の実施形態例に係る可動役物装置の正面図である。
【図４】該可動役物装置の背面図である。
【図５】該可動役物装置に備えられる支持ベースの正面図である。
【図６】図３のＡ−Ａ線に沿う断面図である。
【図７】該可動役物装置に備えられる回転板の正面図である。
【図８】該回転板の背面図である。
【図９】該回転板に装飾カバーを取り付けた状態を示す縦断面図である。
【図１０】該可動役物装置に備えられるスライド板と駆動機構の正面図である。
【図１１】該駆動機構の平面図である。
【図１２】該スライド板の退避状態を示す斜視図である。
【図１３】該スライド板の移動途中状態を示す斜視図である。
【図１４】該スライド板の近接状態を示す斜視図である。
【図１５】該スライド板の近接直前状態を示す正面図である。
【図１６】該スライド板の近接状態を示す正面図である。
【図１７】該回転板が初期位置にある状態を示す正面図である。
【図１８】該回転板が時計方向の末端位置へ回転した状態を示す正面図である。
【図１９】該回転板が反時計方向の末端位置へ回転した状態を示す正面図である。
【図２０】該回転板が初期位置にあるときの遮蔽板とフォトインタラプタの位置関係を示す背面図である。
【図２１】該回転板が時計方向に回転した位置にあるときの遮蔽板とフォトインタラプタの位置関係を示す背面図である。
【図２２】該回転板が反時計方向に回転した位置にあるときの遮蔽板とフォトインタラプタの位置関係を示す背面図である。
【図２３】該回転板の回転方向とフォトインタラプタからの信号の相関表である。
【図２４】該フォトインタラプタの斜視図である。
【図２５】該フォトインタラプタのＡ−Ａ面の断面を基板ベース後端側から見た図である。
【図２６】該フォトインタラプタの基板ベース上での配置の説明図である。
【図２７】本発明の可動役物の駆動制御の構成を概念的に説明する構成図である。
【発明を実施するための形態】
【００１３】
発明の実施の形態について図面を参照して説明する。図１に示すように、本発明の可動役物装置が適用されたパチンコ機ｐは、遊技場の島設備に配置される機枠１と、機枠１に扉状に開閉自在に取り付けられた前面枠２と、前面枠２に収納保持された後述する遊技盤３と、前面枠２の前面に扉状に開閉自在に取り付けられたガラス扉４と、前面枠２の下方に配設された前面ボード５と、前面ボード５に取り付けられた発射ハンドル６等を具備しており、前面ボード５には受け皿７が設けられている。
【００１４】
図２に示すように、遊技盤３の盤面はガイドレール８等で囲まれた遊技領域９となっており、発射ハンドル６が遊技者によって任意角度に回転操作されると、図示せぬ発射装置が受け皿７に貯留された遊技球を遊技領域９に向けて連続的に打ち出すようになっている。遊技領域９の上部中央付近には中央役物ユニット１０が配設されており、この中央役物ユニット１０の左右両側が遊技球の流下通路となっている。中央役物ユニット１０は、中央部に矩形状の貫通孔１１を有する枠状の装飾ケース１２と、装飾ケース１２の裏面側に配置された可動役物装置１３と、可動役物装置１３の裏面側に配置された可変表示装置１４とを具備している。なお、可変表示装置１４は液晶パネル（ＬＣＤ）からなり、その表示画面１４ａは貫通孔１１とほぼ同じ大きさの矩形状に形成されている。
【００１５】
装飾ケース１２には貫通孔１１の下辺に隣接するステージ１５が設けられており、ステージ１５の中央部下方には第１の始動入賞口１６と第２の始動入賞口１７が縦一列に配設されている。第１の始動入賞口１６は上面に入賞孔が開口された単純構造の始動入賞口であるが、第２の始動入賞口１７は一対の可動片を有する電動チューリップ構造の始動入賞口となっている。そして、第１および第２の始動入賞口１６，１７のいずれか一方に遊技球が入賞すると、それを契機として特別図柄表示の電子抽選が行われ、可変表示装置１４の表示画面１４ａ上で図柄の変動表示と停止表示が行われる。また、中央役物ユニット１０の左側方の遊技領域９には通過チャッカー１８が配設されており、この通過チヤツカー１８を遊技球が通過したことを契機に普通図柄表示の電子抽選が行われ、その抽選結果が当たりの場合に第２の始動入賞口１７の可動片を一時的に開放して遊技球の入球を許可するようになっている。
【００１６】
第２の始動入賞口１７の真下位置にはアタッカー１９が配設されており、このアタッカー１９によって図示せぬ大入賞口が覆われている。アタッカー１９は、第１および第２の始動入賞口１６，１７のいずれか一方に遊技球が入賞することを契機に行われる特別図柄表示の電子抽選の結果、当たりとなって大当たり遊技状態（特別遊技モード）に移行した場合に作動される装置である。具体的には、特別図柄表示の抽選結果が当たりの場合、可変表示装置１４の表示画面１４ａ上で図柄の変動表示を例えば「７７７」のように特定図柄で停止させると共に、アタッカー１９が複数回繰り返し開放動作して大入賞口を露呈させる。アタッカー１９は１回の開放動作について例えば３０秒経過するまで、あるいは遊技球が大入賞口に例えば１０個入球するまで開放状態を維持し、かかる開放動作を例えば１５回繰り返した後に大当たりが終了する。その他、遊技領域９には遊技球の払い出しのみを行う複数の一般入賞口２０が配設されており、いずれの始動入賞口１６，１７や一般入賞口２０にも入賞しなかった遊技球は、遊技領域９の最下端部に設けられたアウトロ２１から遊技盤３の裏面側に排出されるようになっている。
【００１７】
図３と図４に示すように、前記可動役物装置１３は、装飾ケース１２の裏面にネジ止め等により固定された合成樹脂製の支持ベース２２と、この支持ベース２２に後述する３個のローラを介して回転可能に支持されたリング状の回転板２３とを備えている。図５に示すように、支持ベース２２の中央部には装飾ケース１２の貫通孔１１とほぼ同じ大きさの透孔２２ａが開設されており、可変表示装置１４の表示画面１４ａはこの透孔２２ａ内に露出している。支持ベース２２の下辺中央部には落下防止片２４が一体形成されており、この落下防止片２４の斜め上方には後述の一対のフォトインタラプタ２５，２６が実装されている。落下防止片２４は回転板２３の回転中心Ｏを通る垂線Ｌ上に位置しており、支持ベース２２の上辺中央部にはこの垂線Ｌを介して対向する一対のストッパ突起２７，２８が設けられている。また、支持ベース２２の下辺側には駆動モータ２９が取り付けられており、この駆動モータ２９の近傍には減速ギア列３０が配設されている。減速ギア列３０は駆動モータ２９の出力軸に固着された最初段ギア３０ａを含む複数のギアによって構成されており、減速ギア列３０の最終段ギア３０ｂは落下防止片２４の近傍に位置している。さらに、支持ベース２２の右側辺部には後述するケーブルガイド３１がネジ止め等によって固定されており、このケーブルガイド３１には帯状のフラットケーブル３２の一端部がコネクタ接続されている。なお、ケーブルガイド３１の内壁面と回転板２３の外周縁とは弧状空間Ｓを介して対向しており、フラットケーブル３２はこの弧状空間Ｓ内にＵ字状の反転部３２ａを有した状態で配置されている。
【００１８】
図７と図８に示すように、合成樹脂製の回転板２３の中央部には方形状の開口３３が開設されており、この開口３３を透して可変表示装置１４の表示画面１４ａが目視可能となっている。回転板２３の上方部分は小径部２３ａとなっており、小径部２３ａとその下方の大径部２３ｂとは左右一対の平坦部２３ｃを介して連続している。また、小径部２３ａの下方には一対のガイド孔２３ｅが形成されており、これらガイド孔２３ｅは開口３３の上辺に沿って左右方向へ延びている。さらに、小径部２３ａと大径部２３ｂの外周縁には薄肉部２３ｄが形成されており、図３に示すように、この薄肉部２３ｄを３個のローラ３４で支持することにより、回転板２３は各ローラ３４を介して支持ベース２２に回転可能に支持されている。これらローラ３４は全て後述するダブルローラ構造となっており、以下、このダブルローラ構造について回転板２３の左下部を支持するローラ３４を例にとって説明する。
【００１９】
図６に示すように、回転板２３の左下部を支持するローラ３４は、回転板２３の薄肉部２３ｄを板厚方向に挟持する上側ローラ半体３４ａと下側ローラ半体３４ｂとからなり、これら上側ローラ半体３４ａと下側ローラ半体３４ｂは支持ベース２２に植設された支軸３５に同軸配置され、支軸３５を中心に回転可能に支持されている。ただし、薄肉部２３ｄの外周端と上側ローラ半体３４ａの軸部との間には間隙Ｓｌが形成されており、薄肉部２３ｄは上側ローラ半体３４ａおよび下側ローラ半体３４ｂと径方向では非接触となっている。回転板２３の右下部を支持するローラ３４も全く同じ構成であり、このようにダブルローラ構造のローラ３４によって回転板２３の左右両下部を支持すると、径寸法の大きな上側ローラ半体３４ａと下側ローラ半休３４ｂによって回転板２３を確実に支持した上で、回転板２３とローラ３４間に生じる摩擦抵抗を低減して回転板２３をスムーズに回転させることが可能になる。なお、回転板２３の中央上部を支持する残りのローラ３４も径寸法が幾分小さいだけで同様のダブルローラ構造となっている。ただし、中央上部のローラ３４には回転板２３の重量が作用しないため、このローラ３４については必ずしもダブルローラ構造としなくても良く、一般的なシングルローラ構造のローラを用いることも可能である。
【００２０】
図３に示すように、回転板２３の表面側の下部外周縁にはリングギア３６が取り付けられており、前述した減速ギア列３０の最終段ギア３０ｂは回転板２３の回転中心Ｏを通る垂線Ｌの近傍でリングギア３６に噛合している。これにより駆動モータ２９の回転が減速ギア列３０を介して回転板２３に伝達され、これら駆動モータ２９と減速ギア列３０およびリングギア３６によって回転駆動機構が構成されている。本実施形態例の場合、この回転駆動機構によって回転板２３が初期位置を基準として正逆両方向（時計方向と反時計方向）へ約４５度ずつ回転動作されるようになっている。なお、回転板２３の時計方向への回転角度は左側の平坦部２３ｃが一方のストッパ突起２７に当接することによって規制され、回転板２３の反時計方向への回転角度は右側の平坦部２３ｃが他方のストッパ突起２８に当接することによって規制される。また、回転板２３の外周縁と前述した落下防止片２４とは所定間隔を存して対向しており、落下防止片２４が回転板２３の回転動作を妨げないようになっている。ただし、回転板２３を支持しているローラ３４が破損したり、外部からの衝撃等によって回転板２３がローラ３４から外れたりした場合、回転板２３の外周縁が落下防止片２４の上端に当接した時点でそれ以上の動きが規制されるため、回転板２３の落下事故を確実に防止することができる。
【００２１】
図８に示すように、回転板２３の裏面側の外周縁には遮光板３７が取り付けられており、この遮光板３７には短尺な遮光壁３７ａと長尺な遮光壁３７ｂが同心円状に立設されている。前述した一対のフォトインタラプタ２５，２６はこれら遮光壁３７ａ，３７ｂの回転軌跡上に位置しており、両フォトインタラプタ２５，２６の出力信号に基づいて回転板２３の初期位置と回転方向を検出できるようになっている。具体的には、回転板２３が初期位置にあるとき、短尺な遮光壁３７ａは一方のフォトインタラプタ２５の光路を横切る位置にあり、長尺な遮光壁３７ｂは他方のフォトインタラプタ２６の光路を横切る位置にあるため、両フォトインタラプタ２５，２６から共にオフ信号が出力される。また、回転板２３が初期位置から時計方向へ回転すると、短尺な遮光壁３７ａは一方のフォトインタラプタ２５の光路から外れる位置へ移動し、長尺な遮光壁３７ｂも他方のフォトインタラプタ２６の光路から外れる位置へ移動するため、両フォトインタラプタ２５，２６から共にオン信号が出力される。それとは逆に回転板２３が初期位置から反時計方向へ回転すると、短尺な遮光壁３７ａは一方のフォトインタラプタ２５の光路から外れる位置へ移動するが、長尺な遮光壁３７ｂは他方のフォトインタラプタ２６の光路内を移動するため、一方のフォトインタラプタ２５からオン信号が出力されると共に、他方のフォトインタラプタ２６からオフ信号が出力される。
したがって、フォトインタラプタからこのような信号出力がなされるように、前記短尺な遮光壁３７ａおよび長尺な遮光壁２７ｂの長さが設定されている。
【００２２】
図３に示すように、回転板２３の前面の大部分は合成樹脂製の装飾カバー３８によって覆われており、この装飾カバー３８には回転板２３の開口３３と同じ大きさの矩形状の窓孔３９が設けられている。図９に示すように、装飾カバー３８には窓孔３９を上下左右に包囲する周壁３８ａが一体形成されており、この周壁３８ａの近傍を含む複数箇所で回転板２３と装飾カバー３８をネジ止めすることにより、全体として機械的強度の高い回転板２３と装飾カバー３８の一体品が構成されている。
【００２３】
図４に示すように、回転板２３の裏面には一対のスライド板４０，４１が搭載されており、便宜上、回転板２３の前方から見て左側に位置するスライド板４０を第１スライド板、右側に位置するスライド板４１を第２スライド板と呼ぶと、第１スライド板４０と第２スライド板４１は開口３３を介して左右両側で対向している。第１スライド板４０と第２スライド板４１は扉を模した可動体であり、図示省略されているが、これら両スライド板４０，４１の内部には複数のＬＥＤが実装されている。また、回転板２３の裏面には、第１スライド板４０の駆動機構である第１モータ４２および第１スクリューシャフト４３と、第２スライド板４１の駆動機構である第２モータ４４および第２スクリューシャフト４５がそれぞれ搭載されている。
【００２４】
第１モータ４２の出力軸にはピニオン４６が固着され、第２モータ４４の出力軸にはピニオン４７が固着されている。第１モータ４２と第２モータ４４は回転板２３の回転中心Ｏを通る垂線Ｌを対称軸とする位置に取り付けられており、図１０〜図１４に示すように、これら第１モータ４２と第２モータ４４は互いの反出力軸側を向かい合わせにして近接配置されている。
【００２５】
第１スクリューシャフト４３と第２スクリューシャフト４５は開口３３の下辺に沿って平行に配置されているが、これら第１スクリューシャフト４３と第２スクリューシャフト４５は前記垂線Ｌに直交する同一平面上で前後方向へ位置ずれしており、第１スクリューシャフト４３の右側部分と第２スクリューシャフト４５の左側部分が前後方向にオーバーラップしている。第１スクリューシャフト４３の一端部にはピニオン４８が固着されており、このピニオン４８と前記ピニオン４６を中継ギア４９を介して連結することにより、第１モータ４２の回転が第１スクリューシャフト４３に伝達されるようになっている。また、第２スクリューシャフト４５の一端部にはピニオン５０が固着されており、このピニオン５０と前記ピニオン４７を中継ギア５１を介して連結することにより、第２モータ４４の回転が第２スクリューシャフト４５に伝達されるようになっている。すなわち、第１スクリューシャフト４３は第１モータ４２の出力軸から第２モータ４４側に向かって延出し、第２スクリューシャフト４５は第２モータ４４の出力軸から第１モータ４２側に向かつて延出している。
【００２６】
第１スライド板４０の下端部にはガイド筒体５２が取り付けられており、このガイド筒体５２は第１スクリューシャフト４３に嵌挿されている。ガイド筒体５２の内周面には第１スクリューシャフト４３の螺旋状溝と係合する突部（図示せず）が形成されており、第１モータ４２の回転に伴って第１スライド板４０は第１スクリューシャフト４３の軸線方向（Ｘ１−Ｘ２方向）へ往復移動する。また、第１スライド板４０の上端部にはＬ字状に折り曲げられた突起４０ａが一体形成されており、この突起４０ａは回転板２３に形成された一方のガイド孔２３ｅの上壁と摺動可能に係合している（図９参照）。すなわち、第１モータ４２の駆動力は第１スライド板４０に対して下端側のみから付与され、上端側は駆動力の付与されない自由端となっており、この自由端側の端面に小さめな磁石５３が固着されている。
【００２７】
同様に、第２スライド板４１の下端部にはガイド筒体５４が取り付けられており、このガイド筒体５４は第２スクリューシャフト４５に嵌挿されている。ガイド筒体５４の内周面には第２スクリューシャフト４５の螺旋状溝と係合する突部（図示せず）が形成されており、第２モータ４４の回転に伴って第２スライド板４１は第２スクリューシャフト４５の軸線方向（Ｘ１−Ｘ２方向）へ往復移動する。また、第２スライド板４１の上端部にはＬ字状に折り曲げられた突起４１ａが一体形成されており、この突起４０ａは回転板２３に形成された他方のガイド孔２３ｅの上壁と摺動可能に係合している。すなわち、第２モータ４４の駆動力は第２スライド板４１に対して下端側のみから付与され、上端側は駆動力の付与されない自由端となっており、この自由端側の端面に鉄板等からなる磁性体５５が取り付けられている。
【００２８】
図１２に示すように、第１スライド板４０と第２スライド板４１は通常の遊技状態で最も離反した退避位置にあり、この場合、回転板２３の開口３３は全開状態となっている。この状態で第１モータ４２と第２モータ４４をそれぞれ一方向へ回転駆動すると、図１３に示すように、第１スライド板４０が第１スクリューシャフト４３の軸線に沿って矢印Ｘ１方向へ移動すると共に、第２スライド板４１が第２スクリューシャフト４５の軸線に沿って矢印Ｘ２方向へ移動するため、第１スライド板４０と第２スライド板４１の対向間距離が次第に狭まっていく。さらに第１モータ４２と第２モータ４４の回転を続行すると、図１４に示すように、第１スライド板４０と第２スライド板４１が互いの対向面を当接させた近接位置まで移動し、開口３３の中央部を含む大部分が第１スライド板４０と第２スライド板４１によって遮蔽された近接状態となる。
【００２９】
ここで、本実施形態例では、第１スライド板４０と第２スライド板４１の対向間距離を意図的に変えてあり、両スライド板４０，４１の自由端（上端）側の対向間距離に対して駆動端（下端）側の対向間距離が広くなるように予め設定してある。このため、図１５に示すように、第１スライド板４０と第２スライド板４１の自由端側のコーナ部同士が当接したとき、駆動端側のコーナ部同士はまだ当接しておらず、第１スライド板４０と第２スライド板４１の対向面間に駆動端側を底辺とする三角形状の隙間Ｓ２が形成される。この状態から第１モータ４２と第２モータ４４の回転を続行すると、第１スライド板４０と第２スライド板４１は自由端側を当接したまま隙間Ｓ２の底辺を狭めるように移動し、第１スライド板４０と第２スライド板４１の駆動端側のコーナ部同士が当接した時点で第１モータ４２と第２モータ４４の回転は停止される。その結果、図１６に示すように、第１スライド板４０と第２スライド板４１の対向面同士が自由端側から駆動端側に至る全ての部分で当接し、開口３３内に臨む可変表示装置１４の表示画面１４ａが第１スライド板４０と第２スライド板４１によって確実に遮蔽される。
【００３０】
次に、このように構成された可動役物装置１３の動作を主に図１７〜図２２を参照して説明する。なお、図１７〜図１９は可動役物装置１３を遊技盤３の正面側から見た動作説明図であり、回転板２３に搭載された両スライド板４０，４１やその駆動装置である両モータ４２，４４および両スクリューシャフト４３，４５は図示省略してある。
また、図２０〜図２２は、回転板周縁部に形成されている遮蔽板３７と、該遮蔽板３７を検知するフォトインタラプタ２５，２６との位置関係を遊技盤の背面から見た動作説明図である。
【００３１】
本実施形態例に係る可動役物装置１３では、通常の遊技状態において回転板２３は図１７に示す初期位置にあり、この初期位置で回転板２３の開口３３は装飾ケース１２の貫通孔１１と一致する横長形状に保たれている。この場合、第１スライド板４０と第２スライド板４１は開口３３の左右両側に隠れた退避位置にあり、可変表示装置１４の表示画面１４ａは支持ベース２２の透孔２２ａを通して開口３３内に露出している。また、回転板２３の外周部に取り付けられた可動側コネクタ５８は弧状空間Ｓを介してケーブルガイド３１の中央部分と対向しており、可動側コネクタ５８に接続されたフラットケーブル３２の反転部３２ａはケーブルガイド３１の内壁面に形成されたガイド溝５９の最深位置５９ａの近傍に位置している。
【００３２】
この状態で駆動モータ２９を正逆いずれか一方へ回転駆動すると、駆動モータ２９の回転が減速ギア列３０からリングギア３６を介して回転板２３に伝達されるため、回転板２３が初期位置から時計方向へ回転する。そして、回転板２３が初期位置から時計方向へ約４５度まで回転すると、図１８に示すように、回転板２３の左側の平坦部２３ｃが一方のストッパ突起２７に当接し、当該位置で駆動モータ２９を駆動停止して回転板２３の回転を停止させる。その結果、開口３３が表示画面１４ａに対して斜め４５度の右下がり状態となり、回転板２３の前面に配設された装飾カバー３８の一部が装飾ケース１２の貫通孔１１から露出する。また、かかる回転板２３の回転に伴って可動側コネクタ５８がケーブルガイド３１の下端部付近まで移動し、それに追従してフラットケーブル３２の反転部３２ａがガイド溝５９の最深位置５９ａから下方へ移動するため、可動側コネクタ５８からケーブルガイド３１の下端部に至る部分のフラットケーブル３２が曲率半径の大きな反転部３２ａとなる。
【００３３】
一方、回転板２３が初期位置にある状態で駆動モータ２９を他方へ回転駆動すると、回転板２３が初期位置から反時計方向へ回転する。そして、回転板２３が初期位置から反時計方向へ約４５度まで回転すると、図１９に示すように、回転板２３の右側の平坦部２３ｃが他方のストッパ突起２８に当接し、当該位置で駆動モータ２９を駆動停止して回転板２３の回転を停止させる。その結果、開口３３が表示画面１４ａに対して斜め４５度の左下がり状態となり、装飾カバー３８の一部が装飾ケース１２の貫通孔１１から露出する。また、かかる回転板２３の回転に伴って可動側コネクタ５８がケーブルガイド３１の上端部付近まで移動し、それに追従してフラットケーブル３２の反転部３２ａがガイド溝５９の最深位置５９ａから導出口６０の近傍まで移動するため、導出口６０から導出されたフラットケーブル３２は延長ガイド部５９ｂに対面する弧状空間Ｓを通って可動側コネクタ５８まで至る。この場合、導出口６０の側方に位置する弧状空間Ｓの幅寸法は最深位置５９ａの形成箇所に比べて狭くなるが、ガイド溝５９の溝底面を切り欠いて形成した導出口６０の存在によって反転部３２ａの曲率半径が大きく保たれるため、フラットケーブル３２に掛かる曲げ応力は低減される。しかも、回転板２３はほとんどの場合に初期位置に保たれており、回転板２３が図１９に示す位置まで回転する頻度は非常に少ないため、回転板２３の回転途中で反転部３２ａの曲率半径が一時的に小さくなったとしても、それによってフラットケーブル３２が損傷する虞はない。
【００３４】
また、このように回転板２３が初期位置を含めて任意の回転位置にあるとき、前述した第１スライド板４０と第２スライド板４１の開閉動作を行わせることにより、両スライド板４０，４１の開閉方向と可変表示装置１４の表示内容とを関連付けたインパクトのある演出を実現することができる。例えば、通常のリーチ時に回転板２３を初期位置に保ったまま両スライド板４０，４１を表示画面１４ａに対して水平方向へ往復移動させたり、スーパーリーチ時に回転板２３を時計方向または反時計方向へ回転させ、その回転途中や回転末端位置で両スライド板４０，４１を表示画面１４ａに対して斜め方向へ往復移動させたりすれば、両スライド板４０，４１の開閉動作と開閉方向に応じて大当たりの可能性の程度を遊技者に示唆させることができる。
【００３５】
このように、回転板２３を初期位置から反時計方向、あるいは反時計方向に回転させて停止した後は、遊技状態に応じて初期位置まで復帰させることが必要になる。
そこで、本発明では、前述のとおり、図８に示すように、回転板２３の裏面側の外周縁には、遮光板３７が取り付けられており、一方、図５に示すように、支持ベース２２には、該遮光壁３７を検知するフォトインタラプタ２５，２６が取り付けられている。
【００３６】
この遮光壁３７は、回転板２３の円周方向に短尺な遮光壁３７ａと長尺な遮光壁３７ｂとからなり、それらが該回転板２３の周縁部に同心円状に、つまり直径方向に隔離されて立設されている。
また、該遮光壁３７は、フォトインタラプタ２５，２６の光路を形成する、後述する間隙部内に位置することができるように、所定の厚みを有している。
【００３７】
該フォトインタラプタ２５，２６は、図２４に示すように、発光素子が収納される第１凸部２５１と、受光素子が収納される第２凸部２５２とが対向してベース基板２５０に立設され、該第１凸部２５１と該第２凸部２５２との間隙部２５３に光路が形成されるように構成されている。
ところで、該第１凸部２５１と第２凸部２５２とを立設するベース基板２５０は、狭隘な支持ベース２２上に配置されるものであり、しかも、該ベース基板２５０の後端側には、信号出力等のためのコネクタ２７０と該ベース基板２５０とを連結する連結部２５０ｂも必要となることから、回転板２３の所定の大きさを確保するためには、特にその長手方向の長さ、つまり回転板２３に対する直径方向の長さが制限されることとなる。  
このため、該ベース基板２５０は、その先端部２５０ａにネジ止め部２５４ａが設けられており、該ネジ止め部２５４ａがビス２５４ｂにより支持ベース２２にネジ止めされることにより、該フォトインタラプタ２５，２６の回転板２３に対する直径方向の位置決めがされている。
一方、該ベース基板２５０のコネクタ２７０が挿入される側つまりベース基板２５０の後端側に形成されている連結部２５０ｂは、固定片２６０により支持ベース２２に固定され、該フォトインタラプタ２５，２６の回転板２３に対する円周方向の位置決めがされている。
該固定片２６０は、図２４，２５に示すように、一対の基部２６０ａと、該基部２６０ａを架け渡すとともに、後端部２５０ｂに当接して支持ベース２２へ押圧する、ベース基板２５０の長手方向に幅狭に形成された押圧部２６０ｂとから構成されている。したがって、その両基部２６０ａがビス２６１ａ、ｂにより支持ベース２２に固定されることにより、幅狭に形成された押圧部２６０ｂが連結部２５０ｂを支持固定するので、該連結部２５０ｂの長手方向の長さが短くても、回転板２３に対する円周方向での位置決め固定を確実に行うことができる。
【００３８】
このように、ベース基板２５０の先端側と後端側を固定することにより、該フォトインタラプタ２５，２６全体の長手方向の長さを極力短くしても、支持ベース２２に確実に固定することができるので、回転板２３の大きさの設計自由度が増すと共に、フォトインタラプタの円周方向、直径方向の位置決めも正確に行うことができる。
また、このような固定片２６０を用いることにより、該フォトインタラプタ２５，２６として、市販されている汎用のフォトインタラプタを利用することができるので、コストパフォーマンスに優れた回転方向検知機構を構成することができる。
【００３９】
フォトインタラプタ２５，２６が支持ベース２２上にこのように固定されている様子を、図５の一部を拡大した図２６に示す。前述したように、該フォトインタラプタ２５，２６の間隙部２５３に、前記した遮光壁３７（３７ａ及び３７ｂ）が位置することができるように配置されている。
ここで、フォトインタラプタ２５の第２凸部２５２と、フォトインタラプタ２６の第１凸部２５１とが前記回転板２３の直径方向において、互いにオーバーラップするように配置されている。
この配置に伴い、フォトインタラプタ２５，２６の固定片２６０の基部２６０ａは、それぞれが干渉しない位置に固定することができるとともに、回転板２３の直径方向に対して、フォトインタラプタ２５，２５が全体としてコンパクトに配置することができるので、回転板２３の大きさ等の設計の自由度が向上する。
なお、上記の例では、発光素子が収納される第１凸部２５１と受光素子が収納される第２凸部２５２とを、図２４に示すように対向して配置したが、受光素子が収納される第２凸部２５２を先端側に、発光素子が収納される第１凸部２５１を後端側に配置しても同様である。
【００４０】
図１７に示す回転板２３の位置は、初期位置となっており、該初期位置においては、前記短尺な遮光壁３７ａが図２０に示すフォトインタラプタ２５，２６のうち、第１のフォトインタラプタ２５の間隙部２５３に位置し、一方、長尺な遮光壁３７ｂは、第２のフォトインタラプタ２６の間隙部２５３に位置するように配置されている。
したがって、この初期状態では、該第１のフォトインタラプタ２５及び第２のフォトインタラプタ２６は、いずれもＯＦＦ信号を出力する。
該回転板２３が、該初期位置から、駆動モータ２９により回転駆動機構を介して図１８に示す時計方向回転し、前述のように約４５°の回転位置で停止すると、該第１のフォトインタラプタ２５及び第２のフォトインタラプタ２６と、短尺な遮光壁３７ａ及び長尺な遮光壁３７ｂとの位置関係は、図２１に示す位置関係となる。
したがって、この状態では、該第１のフォトインタラプタ２５及び第２のフォトインタラプタ２６は、いずれもＯＮ信号を出力する。
これとは反対に、該回転板２３が、該初期位置から、駆動モータ２９により回転駆動機構を介して図１９に示す反時計方向回転し、前述のように約４５°の回転位置で停止すると、該第１のフォトインタラプタ２５及び第２のフォトインタラプタ２６と、短尺な遮光壁３７ａ及び長尺な遮光壁３７ｂとの位置関係は、図２２に示す位置関係となる。
したがって、この状態では、該第１のフォトインタラプタ２５はＯＮ信号を出力するが、第２のフォトインタラプタ２６はＯＦＦ信号を出力する。
つまり、これら第１のフォトインタラプタ２５及び第２のフォトインタラプタ２６は、回転板２３の回転方向位置に対応して、図２３に示す信号テーブルに従った信号を出力する。
したがって、これら第１のフォトインタラプタ２５及び第２のフォトインタラプタ２６からの信号出力により、回転板２３がどの方向に回転して停止しているのか、あるいは初期位置にあるのか、を判断することができる。
【００４１】
本弾球遊技機では、図２７に示すように、各種スイッチや入賞球検知器などからの情報を受け取って所定の演算を行った後、音声ランプ制御部４００や可変表示制御部５００、可動役物制御部６００などに各種のコマンドを出力する主制御部３００が設けられている。
該可変表示制御部５００は、前記した可変表示装置１４における演出表示を制御するものであり、また該可動役物制御部６００は、該可変表示制御部５００等と連携されて可動役物の可動制御を行うものである。
例えば、可変表示装置１４における図柄の変動表示が大当り遊技状態（特別遊技モード）となる可能性が生じたとき（つまり、所謂、リーチ状態となったとき）、可変表示制御部５００により可変表示装置１４におけるリーチ演出制御が行われると共に、所定の時点で可動役物制御部６００が可動役物を作動するコマンドを出力するように構成されている。
さらに、第１のフォトインタラプタ２５及び第２のフォトインタラプタ２６からの信号を図２３に示す信号テーブルで演算し、回転板の回転方向位置を判定する回転方向判定部７００が設けられ、該回転方向判定部７００からの信号は、適宜、可動役物制御部６００へ入力されるように構成されている。
【００４２】
ここで、上記のように遊技の進行に合わせて、可動役物である回転板２３を時計方向回転位置へ可動させるには、主制御部３００から可動役物制御部６００へ時計方向回転位置への可動役物可動指令が出力される。該可動役物可動指令を受けた可動役物制御部６００は、回転方向判定部７００からの信号により、回転板２３の現在位置を確認する。現在位置が初期位置であることを確認したら、可動役物制御部６００は、回転板２３の駆動モータ２９を正回転駆動させる。該回転板２３が時計方向に回転していき、該回転板の左側の平坦部２３ｃがストッパ突起２７に当接することで、駆動モータ２９を停止させる。
更に、遊技が進行するに従い、該回転板２３を初期位置に復帰させる必要が生じると、主制御部３００は、可動役物制御部６００に対し回転板２３を初期位置に復帰させる可動役物可動指令を出力する。該可動役物可動指令を受けた可動役物制御部６００は、回転方向判定部７００からの信号により、回転板２３の現在位置を確認する。回転方向判定部７００からの判定信号により現在位置が時計方向回転位置であることを確認したら、可動役物制御部６００は、回転板２３の駆動モータ２９を逆回転駆動させる。これにより該回転板２３が反時計方向に回転していき、回転方向検知部７００からの信号が初期位置信号を出力することで、駆動モータ２９を停止させる。
一方、上記のように遊技の進行に合わせて、可動役物である回転板２３を反時計方向回転位置へ可動させるには、主制御部３００から可動役物制御部６００へ反時計方向回転位置への可動役物可動指令が出力される。該可動役物可動指令を受けた可動役物制御部６００は、回転方向判定部７００からの信号により、回転板２３の現在位置を確認する。現在位置が初期位置であることを確認したら、可動役物制御部６００は、回転板２３の駆動モータ２９を逆回転駆動させる。該回転板２３が反時計方向に回転していき、該回転板の右側の平坦部２３ｃがストッパ突起２８に当接することで、駆動モータ２９を停止させる。
更に、遊技が進行するに従い、該回転板２３を初期位置に復帰させる必要が生じると、主制御部３００は、可動役物制御部６００に対し回転板２３を初期位置に復帰させる可動役物可動指令を出力する。該可動役物可動指令を受けた可動役物制御部６００は、回転方向判定部７００からの信号により、回転板２３の現在位置を確認する。回転方向判定部７００からの判定信号により現在位置が反時計回転位置であることを確認したら、可動役物制御部６００は、回転板２３の駆動モータ２９を正回転駆動させる。これにより該回転板２３が時計方向に回転していき、回転方向検知部７００からの信号が初期位置信号を出力することで、駆動モータ２９を停止させる。
【００４３】
このように、可動役物制御部６００は、回転方向判定部７００からの回転方向位置信号に基づいて回転板駆動モータ２９の正、逆回転を選択するのみで、回転板２３を初期位置に復帰させることができる。また、可動役物の回転板２３を正逆回転制御する際に、極めて簡便な手段により回転方向を検知することができ、回転方向をいちいち記憶しておく必要がなく、安価でかつ信頼性が高く、空間を有効に活用した可動役物装置を提供することができる。
【００４４】
なお、上記実施形態例では、駆動モータ２９と減速ギア列３０およびリングギア３６によって回転駆動機構を構成し、このような構成の回転駆動機構を用いて回転板２３を正逆両方向へ回転させる場合について説明したが、他の構成の回転駆動機構を用いることも可能である。
また、回転板２３の時計方向あるいは反時計方向での停止を、回転板の左右の平坦部２３ｃを、ストッパ突起２７あるいは２８に当接させて駆動モータ２９を停止することで行っているが、該駆動モータ２９をパルスモータで構成し、所定のパルス制御によって時計方向あるいは反時計方向での所定位置に停止させるように構成することも可能である。
さらに、遮光壁３７を検知するのにフォトインタラプタ２５，２６を用いたが、他の光センサを用いることもできる。
【符号の説明】
【００４５】
３  遊技盤
９  遊技領域
１０  中央役物ユニット
１１  貫通孔
１２  装飾ケース
１３  可動役物装置
１４  可変表示装置
１４ａ  表示画面
２２  支持ベース
２２ａ  透孔
２３  回転板
２５  第１フォトインタラプタ（第１のフォトセンサ）
２６  第２フォトインタラプタ（第２のフォトセンサ）
２９  駆動モータ
３０  減速ギア列
３３  開口
３４  ローラ
３６  リングギア
３７ａ  短尺の遮蔽壁
３７ｂ  長尺な遮光壁
３８  装飾カバー
３９  窓孔
４０  第１スライド板
４１  第２スライド板
４２  第１モータ
４３  第１スクリューシャフト
４４  第２モータ
４５  第２スクリューシャフト
５２，５４  ガイド筒体
２５０  ベース基板
２５０ａ  ネジ止め部
２５０ｂ  連結部
２５１  第１凸部
２５２  第２凸部
２５３  間隙部
２６０  固定片
２６０ａ  基部
２６０ｂ  押圧部
２７０  コネクタ
Ｌ  垂線
【図１】
2011067403.tif 000003
【図２】
2011067403.tif 000004
【図３】
2011067403.tif 000005
【図４】
2011067403.tif 000006
【図５】
2011067403.tif 000007
【図６】
2011067403.tif 000008
【図７】
2011067403.tif 000009
【図８】
2011067403.tif 000010
【図９】
2011067403.tif 000011
【図１０】
2011067403.tif 000012
【図１１】
2011067403.tif 000013
【図１２】
2011067403.tif 000014
【図１３】
2011067403.tif 000015
【図１４】
2011067403.tif 000016
【図１５】
2011067403.tif 000017
【図１６】
2011067403.tif 000018
【図１７】
2011067403.tif 000019
【図１８】
2011067403.tif 000020
【図１９】
2011067403.tif 000021
【図２０】
2011067403.tif 000022
【図２１】
2011067403.tif 000023
【図２２】
2011067403.tif 000024
【図２３】
2011067403.tif 000025
【図２４】
2011067403.tif 000026
【図２５】
2011067403.tif 000027
【図２６】
2011067403.tif 000028
【図２７】
2011067403.tif 000029